(57)【要約】【課題】両手や下顎を保持固定する処置が手間なくワンタッチ的にできると共にその保持固定が確実にでき、また、故人の尊厳を保持しつつ壮厳な雰囲気を醸し出し、手厚くしかも優しく扱うことができる合掌バンドと顎バンドを提供する。【解決手段】合掌バンドＡは、合掌した両手首Ｎに巻かれ、伸縮自在なバンド部材１と、該バンド部材１の両端部に設けられ係脱自在に係合し得る係合手段２と、バンド部材１の外周面に設けられるレース飾り３とからなる。また、顎バンドＢは、下顎Ｃと頭部Ｅに巻かれ、伸縮自在な主バンド部材５と、該主バンド部材５の両端部間に差し渡される一対の顎バンド部材６，６と、両端部が主バンド部材５に連結される伸縮自在な副バンド部材６と、主バンド部材５及び両顎バンド部材６，６の外周面に設けられるレース飾り３，８とからなる。【選択図】  図２
2004222803.tif 000002
【特許請求の範囲】
【請求項１】
所定長さを有する伸縮自在なバンド部材と、前記バンド部材の両端部に設けられ互いに係脱自在に係合して該バンド部材を環状に成し得る係合手段と、前記バンド部材の外周面にその長手方向に沿って設けられるレース飾りと、からなることを特徴とする合掌バンド。
【請求項２】
所定長さを有する伸縮自在な主バンド部材と、前記主バンド部材の両端部間に差し渡され該主バンド部材を環状に成形する一対の顎バンド部材と、前記環状に成形された主バンド部材であって前記一対の顎バンド部材から等間隔位置に両端部がそれぞれ連結される伸縮自在な副バンド部材と、前記主バンド部材及び両顎バンド部材の外周面にその長手方向に沿って設けられるレース飾りと、からなることを特徴とする顎バンド。
【発明の詳細な説明】
【０００１】
【発明の属する技術分野】
本発明は、葬儀備品として遺体の両手や下顎を保持固定するために使用される合掌バンド、顎バンドに関するものである。
【０００２】
【従来の技術】
通常、病気や事故などによって死亡した場合、遺体を棺に納め通夜などの葬儀が始められる。ところで、納棺時は、両手を合掌状態として遺体が納められることから、納棺前に、あらかじめ遺体の両手首を合掌状態として組ませ硬直するまで紐体で結えるようにしている（例えば、特許文献１参照。）。また、死亡すると全身の筋肉が弛緩し顔面や顎部の筋肉も弛緩して下顎が下方へ引っ張られ、納棺後、口がだらしなく開いたままとなって美観的に好ましくないことから、これを解決すべく下顎の両側を支持してその下顎が下がらないようにした下顎保持具がある（例えば、特許文献２参照。）。
【０００３】
【特許文献１】
特開２００１−３２７３９１号公報（第２頁、図４）
【特許文献２】
特開２００２−１１３０５６号公報（第２−３頁、図１）
【０００４】
【発明が解決しようとする課題】
しかしながら、前記のように両手首を紐体で結えることは、その締付け加減などを調整する必要があるなど手間を要しその処置に時間が掛かるばかりか、仮に、締付け加減が緩んでしまうと合掌状態が確実に保持固定できないことになる。また、前記下顎保持具は、簡単とはいうものの、顎当て部の位置調整や両脚部間の幅調整など微妙な調整が必要となり、この場合も手間を要しその処置に時間が掛かる。しかも、例えば病院の治療室や病室で死亡した場合、霊安室まで移送し、更に、そこから家まで移送するので、その移送途中に生ずる振動で下顎保持具が下顎から外れる可能性があり、その保持固定を確実に行なえなくなる。
【０００５】
また、前記のようにあらかじめ遺体の両手首を合掌状態として組ませ紐体で結えることは恰も故人が罪人のような感じを抱かせ、また、下顎保持具は見た目に治療器具のようでありまだ治療が続いているような感じを抱かせる。このように、前記両手首を紐体で結えたり、下顎を下顎保持具で保持したりすることは、故人の尊厳が傷つけられるばかりか、遺族にとっても心情的に複雑な気持ちが残り、できれば、尊厳を保ったまま故人を優しくしかも手厚く扱いたいというのが遺族の気持ちである。
【０００６】
そこで、本発明は上記課題に鑑みてなされたもので、両手や下顎を保持固定する処置が手間なくワンタッチ的に行なえると共にその保持固定が確実にでき、また、故人の尊厳を保持しつつ壮厳な雰囲気を醸し出し、優しくしかも手厚く扱うことができる合掌バンドと顎バンドを提供することを目的とするものである。
【０００７】
【課題を解決するための手段】
かかる目的を達成するため、本発明に係る合掌バンドは、所定長さを有する伸縮自在なバンド部材と、前記バンド部材の両端部に設けられ互いに係脱自在に係合して該バンド部材を環状に成し得る係合手段と、前記バンド部材の外周面にその長手方向に沿って設けられるレース飾りと、から構成される。
【０００８】
また、本発明に係る顎バンドは、所定長さを有する伸縮自在な主バンド部材と、前記主バンド部材の両端部間に差し渡され該主バンド部材を環状に成形する一対の顎バンド部材と、前記環状に成形された主バンド部材であって前記一対の顎バンド部材から等間隔位置にそれぞれ両端部が連結される伸縮自在な副バンド部材と、前記主バンド部材及び両顎バンド部材の外周面にその長手方向に沿って設けられるレース飾りと、から構成される。
【０００９】
【発明の実施の形態】
以下、本発明に係る合掌バンドと顎バンドの実施の形態を図面に基づき説明する。図１は合掌バンドの斜視図、図２は同使用状態図である。まず、合掌バンドについて説明するが、この合掌バンドＡは、所定長さを有する伸縮自在なバンド部材１と、前記バンド部材１の両端部に設けられ互いに係脱自在に係合する係合手段２と、前記バンド部材１の外周面に設けられるレース飾り３と、から構成される。
【００１０】
前記バンド部材１は、例えば幅を２．５ｃｍ、長さを合掌した両手首に巻ける程度の約３０ｃｍに設定した帯状に成形される。また、このバンド部材１は、スパンデックスのような伸縮性のある糸を織って成形され、バンド部材１の幅方向には伸びないが、長手方向には伸縮自在に伸びるようになっている。
【００１１】
また、バンド部材１の両端部であってその表裏面に、それぞれ係合手段２として互いに係脱自在に係合する雄型貼り合せファスナー２ａと雌型貼り合せファスナー２ｂが縫着して設けられている。そして、雄型貼り合せファスナー２ａと雌型貼り合せファスナー２ｂを貼り合せることにより、バンド部材１を環状に成し得る。なお、係合手段２は、この方法に限らず、ボタンとこのボタンを挿通して係合させるボタン穴、先端鉤状のフックとこのフックを掛止するループ紐であっても良く、バンド部材１の両端部が簡単に係合して連結できる手段であれば良い。
【００１２】
更に、バンド部材１の外周面には、その長手方向に沿ってレース飾り３が縫着して設けられる。このレース飾り３は、左右対称な一対のレース帯片３ａ，３ａからなり、これら一側端縁を中央で互いに一部重ねて取り付けられ、両側にフリルのような装飾襞部４が成形されるようになっている。このようにして成形されるバンド部材１は全体に白色である。
【００１３】
本発明に係る合掌バンドＡは上記構成からなり、病気または事故などにより死亡した場合、図２に示すように遺体の両手Ｈ，Ｈを合掌させる。そして、その両手首Ｎ，Ｎの外側にバンド部材１を巻き、巻締めした状態で、両雌雄貼り合せファスナー２ａ，２ｂを貼り合せる。これにより両手Ｈ，Ｈが固定される。このように雌雄貼り合せファスナー２ａ，２ｂを貼り合せるのみで両手Ｈ，Ｈが固定でき、この処置はワンタッチ的に行なえる。同様に、合掌バンドＡを取り外す場合も、両雌雄貼り合せファスナー２ａ，２ｂを剥がすのみで済み、手間が掛からない。また、バンド部材１は伸縮自在な素材により成形されていることから、緩むようなことがなく合掌状態を確実に保持固定できる。
【００１４】
しかも、合掌バンドＡは全体に白く清楚であり、また、レース飾り３が装飾機能を果たして壮厳な雰囲気を醸し出すことから、故人の威厳や尊厳が保持できると共に優しく思いやる気持ちも表現でき遺族も心情的に安心できる。
【００１５】
次に、本発明に係る顎バンドの実施の形態を図面に基づき説明する。図３は顎バンドの斜視図、図４は同使用状態図である。本発明に係る顎バンドＢは、所定長さを有する伸縮自在な主バンド部材５と、前記主バンド部材５の両端部間に差し渡される一対の伸縮自在な顎バンド部材６と、前記環状に成形された主バンド部材５に両端部がそれぞれ連結される副バンド部材７と、前記主バンド部材５及び両顎バンド部材６，６の外周面に設けられるレース飾り３，８と、から構成される。
【００１６】
前記主バンド部材５は、例えば幅を２．５ｃｍ、長さを頭部Ｅの外周に巻ける程度である約４０ｃｍに設定した帯状に成形される。また、この主バンド部材５も前記バンド部材１と同じ素材により成形され、伸縮自在に伸びるようになっている。
【００１７】
前記各顎バンド部材６は、例えば幅を０．５ｃｍ、長さ約８ｃｍに設定した帯状に成形される。また、各顎バンド部材６もスパンデックスにより成形され、伸縮性を有する。そして、前記主バンド部材５の両端部間に平行に差し渡され、両端部が縫着して連結される。これにより該主バンド部材５が環状に成形され、顔の回りに巻かれると共に両顎バンド部材６，６間の空間９に後記する下顎Ｃを嵌り込ませることになる。なお、両顎バンド部材６は、必要なければ非伸縮性の素材により成形しても良い。
【００１８】
前記副バンド部材７は、例えば幅を０．８ｃｍ、長さを後頭部の外周に巻ける程度である約２２ｃｍに設定した帯状に成形される。また、この副バンド部材７も前記顎バンド部材６，６と同じ素材により成形され、伸縮性を有する。
【００１９】
更に、主バンド部材５の外周面に、その長手方向に沿って前記と同じレース飾り３が縫着して設けられる。また、各顎バンド部材６の外周面にもレース飾り８が縫着して設けられるが、このレース飾り８は前記レース飾り３よりも細く成形されている。このようにして成形される顎バンドＢも全体に白色である。
【００２０】
本発明に係る顎バンドＢは上記構成からなり、図４に示すように頭部Ｅの後側に副バンド部材７を巻くと共に遺体の顔Ｆの回りに主バンド部材５を巻く。更に、両顎バンド部材６，６間の空間９に下顎Ｃを嵌り込ませ、両顎バンド部材６，６で下顎Ｃ先端部を挟むようにする。この際、主バンド部材５等はいずれも伸縮自在な素材によって成形されているから、顎バンドＢが頭部Ｅにしっかりと固定できる。しかも、両顎バンド部材６，６により下顎Ｃを上顎側へ引き上げるようにしているので、頬の筋肉が緩んで口があいたままになるということがなく、仮に、振動を受けても下顎Ｃを確実に保持固定できる。このように、顔の回りに主バンド部材５を巻くと共に顎バンド部材６，６間の空間９に下顎Ｃを嵌め込むのみで取り付けでき、その処置が手間なくワンタッチ的に行なえる。同様に、顎バンドＢを取り外す場合も、主バンド部材５及び副バンド部材７を取り外すのみで済み、手間が掛からない。
【００２１】
また、この場合も、顎バンドＢが全体に白く清楚であり、しかも、各レース飾り３，９が装飾機能を果たして壮厳な雰囲気を醸し出すことから、故人の威厳や尊厳が保持できると共に優しく思いやる気持ちも表現でき遺族も心情的に安心できる。
【００２２】
【発明の効果】
本発明に係る合掌バンドと顎バンドは、上記構成からなるので、両手や下顎に簡単に取り付けられることから、手間が掛からずワンタッチ的に処置が行なえる。また、合掌バンドや顎バンドは伸縮性の素材を使用していることから、手首や下顎にしっかりと締付けられ緩むことがなく、それら形を確実に保持固定できる。更に、レース飾りが装飾機能を果たして壮厳な雰囲気を醸し出すことから、故人の威厳や尊厳が保持でき、優しくしかも手厚く扱えると共に遺族も心情的に安心できるという効果がある。
【図面の簡単な説明】
【図１】本発明に係る合掌バンドの斜視図。
【図２】同使用状態図。
【図３】本発明に係る顎バンドの斜視図。
【図４】同使用状態図。
【符号の説明】
１                バンド部材
２                係合手段
２ａ              雄型貼り合せファスナー
２ｂ              雌型貼り合せファスナー
３                レース飾り
５                主バンド部材
６                顎バンド部材
７                副バンド部材
８                レース飾り
９                空間
Ａ                合掌バンド
Ｂ                顎バンド
Ｃ                下顎
Ｎ                手首
【図１】
2004222803.tif 000003
【図２】
2004222803.tif 000004
【図３】
2004222803.tif 000005
【図４】
2004222803.tif 000006